(57)【要約】【課題】プライバシーを保護しつつ人脈を共有する。【解決手段】サーバ装置は、組織内の構成員毎に、構成員の人脈情報を、構成員以外に公開しない人脈と、組織内で共有される人脈と、を区別して登録する人脈情報ＤＢを備える。サーバ装置は、人脈情報ＤＢに登録されている人脈情報に基づいて、ユーザを中心として、ユーザ自身の人脈と、組織内で共有される人脈と、を表す人脈相関図４０を作成する。そして、サーバ装置は、作成した人脈相関図４０をネットワークを介して端末装置に送信して表示させる。【選択図】図４
2019139600.tif 000002
【特許請求の範囲】
【請求項１】
組織内の構成員毎に、該構成員の人脈に関する情報を、該構成員以外に公開しない人脈と、前記組織内で共有される人脈と、を区別して登録する人脈情報データベースと、
前記人脈情報データベースに登録されている前記人脈に関する情報に基づいて、着目する構成員を中心として、該着目する構成員自身の人脈と、前記組織内で共有される人脈と、を表す人脈相関図を作成する人脈相関図作成手段と、
を備える人脈管理装置。
【請求項２】
端末装置からネットワークを介して送信される人脈に関する情報の一括登録要求を受信したことに応答して、該一括登録要求から特定される前記構成員と前記人脈に関する情報とを対応付けて前記人脈情報データベースに一括登録する一括登録手段と、
前記人脈相関図作成手段によって作成した前記人脈相関図を前記ネットワークを介して前記端末装置に送信して表示させる人脈相関図送信手段と、
をさらに備え、
前記人脈相関図作成手段は、前記一括登録手段によって前記人脈に関する情報を一括登録した前記構成員を中心として、該一括登録した構成員自身の人脈と、前記組織内で共有される人脈と、を表す前記人脈相関図を作成する、
ことを特徴とする請求項１に記載の人脈管理装置。
【請求項３】
組織内の構成員毎に、該構成員に関する情報を登録する構成員情報データベースと、
端末装置からネットワークを介して送信される最適な人物の紹介要求を受信したことに応答して、前記紹介要求から特定される前記構成員に関する情報を、前記構成員情報データベースから読み出す構成員情報読出手段と、
前記構成員情報読出手段によって読み出した前記構成員に関する情報に基づいて、前記人脈情報データベースに前記情報が登録されている人物の中から、所定の基準に従って、該構成員に最適な人物を検出する最適人物検出手段と、
前記最適人物検出手段によって検出した前記構成員に最適な人物を表示するための表示データを前記ネットワークを介して前記端末装置に送信することで、該構成員に最適な人物を紹介する最適人物紹介手段と、
をさらに備えることを特徴とする請求項１又は２に記載の人脈管理装置。
【請求項４】
端末装置と、該端末装置とネットワークを介して接続された人脈管理装置と、を具備する人脈管理システムであって、
前記人脈管理装置は、
組織内の構成員毎に、該構成員の人脈に関する情報を、該構成員以外に公開しない人脈と、前記組織内で共有される人脈と、を区別して登録する人脈情報データベースと、
前記人脈情報データベースに登録されている前記人脈に関する情報に基づいて、着目する構成員を中心として、該着目する構成員自身の人脈と、前記組織内で共有される人脈と、を表す人脈相関図を作成する人脈相関図作成手段と、
前記人脈相関図作成手段によって作成した前記人脈相関図を前記ネットワークを介して前記端末装置に送信する人脈相関図送信手段と、
を備え、
前記端末装置は、前記人脈相関図送信手段から前記ネットワークを介して送信される前記人脈相関図を受信したことに応答して、前記着目する構成員を中心として、該着目する構成員自身の人脈と、前記組織内で共有される人脈と、を表す前記人脈相関図を表示する人脈相関図表示手段を備える、
ことを特徴とする人脈管理システム。
【請求項５】
前記端末装置は、二人の人物を繋げる最適な人脈の検出を指示したことに応答して、該二人の人物を特定可能な該最適な人脈の検出要求を前記ネットワークを介して前記人脈管理装置に送信する検出要求送信手段をさらに備え、
前記人脈管理装置は、
前記検出要求送信手段から前記ネットワークを介して送信される前記最適な人脈の検出要求を受信したことに応答して、該検出要求から特定される前記二人の人物を繋げる複数の人脈の中から、所定の基準に従って、該最適な人脈を検出する最適人脈検出手段と、
前記最適人脈検出手段によって検出した前記最適な人脈を表示するための表示データを前記ネットワークを介して前記端末装置に送信することで、前記二人の人物を繋げる該最適な人脈を該構成員に通知する最適人脈通知手段と、
をさらに備えることを特徴とする請求項４に記載の人脈管理システム。
【請求項６】
前記人脈相関図は、人物を示す人物アイコンと、該人物アイコン同士を接続する線分と、で表され、
前記人脈相関図表示手段は、前記人物アイコン同士を接続する線分を、該人物アイコンが示す人物同士の繋がりの強さに応じて異なる態様で表示する、
ことを特徴とする請求項４又は５に記載の人脈管理システム。
【請求項７】
組織内の構成員毎に、該構成員の人脈に関する情報を、該構成員以外に公開しない人脈と、前記組織内で共有される人脈と、を区別して登録する人脈情報データベースを備える人脈管理装置による人脈管理方法であって、
前記人脈情報データベースに登録されている前記人脈に関する情報に基づいて、着目する構成員を中心として、該着目する構成員自身の人脈と、前記組織内で共有される人脈と、を表す人脈相関図を作成する、
ことを特徴とする人脈管理方法。
【請求項８】
組織内の構成員毎に、該構成員の人脈に関する情報を、該構成員以外に公開しない人脈と、前記組織内で共有される人脈と、を区別して登録する人脈情報データベースを備える人脈管理装置のコンピュータに、
前記人脈情報データベースに登録されている前記人脈に関する情報に基づいて、着目する構成員を中心として、該着目する構成員自身の人脈と、前記組織内で共有される人脈と、を表す人脈相関図を作成させるためのプログラム。
【発明の詳細な説明】
【技術分野】
【０００１】
本発明は、人脈管理装置、人脈管理システム、人脈管理方法、及びプログラムに関し、特に、プライバシーを保護しつつ人脈を共有できる人脈管理装置、人脈管理システム、人脈管理方法、及びプログラムに関する。
【背景技術】
【０００２】
人脈情報をサーバ上で連携し、人脈データの共有を行い、コンタクトしたい人材を仲介することが可能な人物を表示することができるようにした人脈データ管理システムがある（例えば特許文献１参照）。
【先行技術文献】
【特許文献】
【０００３】
【特許文献１】特開２００１−１７５６８０号公報
【発明の概要】
【発明が解決しようとする課題】
【０００４】
しかしながら、特許文献１に記載の人脈データ管理システムは、仕事上の人脈とプライベートの人脈とを区別なく管理するものであるため、他人に知られたくないプライベートな人脈については、登録しないようにするしかないが、それでは、プライベートの人脈が活かせなくなってしまう。
【０００５】
本発明は、上記の課題を解決するためになされたものであって、プライバシーを保護しつつ人脈を共有できる人脈管理装置、人脈管理システム、人脈管理方法、及びプログラムを提供することを目的とする。
【課題を解決するための手段】
【０００６】
上記の目的を達成するため、本発明の第１の観点に係る人脈管理装置は、組織内の構成員毎に、該構成員の人脈に関する情報を、該構成員以外に公開しない人脈と、前記組織内で共有される人脈と、を区別して登録する人脈情報データベースと、前記人脈情報データベースに登録されている前記人脈に関する情報に基づいて、着目する構成員を中心として、該着目する構成員自身の人脈と、前記組織内で共有される人脈と、を表す人脈相関図を作成する人脈相関図作成手段と、を備える。
【０００７】
上記の人脈管理装置は、端末装置からネットワークを介して送信される人脈に関する情報の一括登録要求を受信したことに応答して、該一括登録要求から特定される前記構成員と前記人脈に関する情報とを対応付けて前記人脈情報データベースに一括登録する一括登録手段と、前記人脈相関図作成手段によって作成した前記人脈相関図を前記ネットワークを介して前記端末装置に送信して表示させる人脈相関図送信手段と、をさらに備え、前記人脈相関図作成手段は、前記一括登録手段によって前記人脈に関する情報を一括登録した前記構成員を中心として、該一括登録した構成員自身の人脈と、前記組織内で共有される人脈と、を表す前記人脈相関図を作成する、ものであってもよい。
【０００８】
上記の人脈管理装置は、組織内の構成員毎に、該構成員に関する情報を登録する構成員情報データベースと、端末装置からネットワークを介して送信される最適な人物の紹介要求を受信したことに応答して、前記紹介要求から特定される前記構成員に関する情報を、前記構成員情報データベースから読み出す構成員情報読出手段と、前記構成員情報読出手段によって読み出した前記構成員に関する情報に基づいて、前記人脈情報データベースに前記情報が登録されている人物の中から、所定の基準に従って、該構成員に最適な人物を検出する最適人物検出手段と、前記最適人物検出手段によって検出した前記構成員に最適な人物を表示するための表示データを前記ネットワークを介して前記端末装置に送信することで、該構成員に最適な人物を紹介する最適人物紹介手段と、をさらに備える、ものであってもよい。
【０００９】
本発明の第２の観点に係る人脈管理システムは、端末装置と、該端末装置とネットワークを介して接続された人脈管理装置と、を具備する人脈管理システムであって、前記人脈管理装置は、組織内の構成員毎に、該構成員の人脈に関する情報を、該構成員以外に公開しない人脈と、前記組織内で共有される人脈と、を区別して登録する人脈情報データベースと、前記人脈情報データベースに登録されている前記人脈に関する情報に基づいて、着目する構成員を中心として、該着目する構成員自身の人脈と、前記組織内で共有される人脈と、を表す人脈相関図を作成する人脈相関図作成手段と、前記人脈相関図作成手段によって作成した前記人脈相関図を前記ネットワークを介して前記端末装置に送信する人脈相関図送信手段と、を備え、前記端末装置は、前記人脈相関図送信手段から前記ネットワークを介して送信される前記人脈相関図を受信したことに応答して、前記着目する構成員を中心として、該着目する構成員自身の人脈と、前記組織内で共有される人脈と、を表す前記人脈相関図を表示する人脈相関図表示手段を備える、ことを特徴とする。
【００１０】
上記の人脈管理システムにおいて、前記端末装置は、二人の人物を繋げる最適な人脈の検出を指示したことに応答して、該二人の人物を特定可能な該最適な人脈の検出要求を前記ネットワークを介して前記人脈管理装置に送信する検出要求送信手段をさらに備え、前記人脈管理装置は、前記検出要求送信手段から前記ネットワークを介して送信される前記最適な人脈の検出要求を受信したことに応答して、該検出要求から特定される前記二人の人物を繋げる複数の人脈の中から、所定の基準に従って、該最適な人脈を検出する最適人脈検出手段と、前記最適人脈検出手段によって検出した前記最適な人脈を表示するための表示データを前記ネットワークを介して前記端末装置に送信することで、前記二人の人物を繋げる該最適な人脈を該構成員に通知する最適人脈通知手段と、をさらに備える、ものであってもよい。
【００１１】
上記の人脈管理システムにおいて、前記人脈相関図は、人物を示す人物アイコンと、該人物アイコン同士を接続する線分と、で表され、前記人脈相関図表示手段は、前記人物アイコン同士を接続する線分を、該人物アイコンが示す人物同士の繋がりの強さに応じて異なる態様で表示する、ようにしてもよい。
【００１２】
本発明の第３の観点に係る人脈管理方法は、組織内の構成員毎に、該構成員の人脈に関する情報を、該構成員以外に公開しない人脈と、前記組織内で共有される人脈と、を区別して登録する人脈情報データベースを備える人脈管理装置による人脈管理方法であって、前記人脈情報データベースに登録されている前記人脈に関する情報に基づいて、着目する構成員を中心として、該着目する構成員自身の人脈と、前記組織内で共有される人脈と、を表す人脈相関図を作成する、ことを特徴とする。
【００１３】
本発明の第４の観点に係るプログラムは、組織内の構成員毎に、該構成員の人脈に関する情報を、該構成員以外に公開しない人脈と、前記組織内で共有される人脈と、を区別して登録する人脈情報データベースを備える人脈管理装置のコンピュータに、前記人脈情報データベースに登録されている前記人脈に関する情報に基づいて、着目する構成員を中心として、該着目する構成員自身の人脈と、前記組織内で共有される人脈と、を表す人脈相関図を作成させる。
【発明の効果】
【００１４】
本発明によれば、プライバシーを保護しつつ人脈を共有できる人脈管理装置、人脈管理システム、人脈管理方法、及びプログラムを提供することができる。
【図面の簡単な説明】
【００１５】
【図１】人脈管理システムの構成例を示す図である。
【図２】端末装置の構成例を示すブロック図である。
【図３】人脈情報登録ファイルの構成例を示す図である。
【図４】（ａ）は、人脈相関図の表示例を示す図で、（ｂ）は、人物アイコンの詳細を例示する図である。
【図５】最適人物紹介画面の表示例を示す図である。
【図６】最適人脈検出画面の表示例を示す図である。
【図７】サーバ装置の構成例を示すブロック図である。
【図８】一括登録処理の一例を示すフローチャートである。
【図９】最適人物紹介処理の一例を示すフローチャートである。
【図１０】最適人脈検出処理の一例を示すフローチャートである。
【発明を実施するための形態】
【００１６】
以下、本発明を実施するための形態について説明する。
【００１７】
まず、本発明の実施形態に係る人脈管理システムの構成について図面を参照しつつ説明する。
【００１８】
図１は、本実施形態に係る人脈管理システムの構成例を示す図である。
【００１９】
図１に示すように、人脈管理システム１は、複数の端末装置１０−１、１０−２、…、１０−ｎ（ｎは自然数）と、サーバ装置（人脈管理装置）２０と、を具備し、ネットワークＮを介して相互に通信可能に接続されている。本実施形態において、人脈管理システム１は、外部に組織内の人脈情報が漏れることを防止すべく、オンプレミス環境で提供され、複数の端末装置１０−ｎとサーバ装置２０とは、会社等の同一の組織内に設置されている。
【００２０】
なお、人脈管理システム１は、クラウド環境で提供されてもよい。また、専用のＡＰＩ（Application Programming Interface）を公開して、人脈管理システム１上で管理されている人脈情報の外部システムとの連携を可能にしてもよい。
【００２１】
端末装置１０−ｎは、例えば汎用のパーソナルコンピュータ等から構成され、人脈管理システム１を導入している組織の構成員（例えば会社であれば従業員等）であるユーザによって操作される。なお、端末装置１０−ｎは、ユーザによって操作されるものであれば任意であり、例えば汎用のスマートフォンやタブレットコンピュータ等から構成されるものであってもよい。
【００２２】
図２は、端末装置の構成例を示すブロック図である。
【００２３】
図２に示すように、端末装置１０−ｎは、記憶部１１と、表示部１２と、操作部１３と、通信部１４と、制御部１５と、を備え、これらはバス等を介して接続されている。
【００２４】
記憶部１１は、例えばハードディスクドライブ等の汎用の記憶装置から構成される。本実施形態において、記憶部１１は、各ユーザの人脈を管理するための人脈管理ソフトウェア等の各種ソフトウェアを記憶する。また、記憶部１１は、人脈情報を一括で登録するためのＣＳＶ（Comma Separated Value）形式の人脈情報登録ファイルを記憶する。人脈情報には、ユーザと繋がりのある人物の詳細を示す人物情報と、ユーザとの関係を示す繋がり情報と、が含まれている。
【００２５】
図３は、人脈情報登録ファイルの構成例を示す図である。
【００２６】
図３に示すように、人脈情報登録ファイル３０は、ユーザと繋がりのある人物毎に、人物情報と、繋がり情報と、を対応付けて記憶する。本実施形態において、人物情報には、「名前」、「所属（会社名及び部署等）」、「役職」、「ＵＲＬ（Uniform Resource Locator）」、及び「メモ」等が含まれる。「メモ」には、例えば「趣味嗜好」や「業種」等が記載される。また、人物情報には、その人物の顔写真が含まれていてもよい。
【００２７】
また、繋がり情報には、「公開設定」及び「繋がりの名称」等が含まれる。「公開設定」は、「プライベート」及び「パブリック」の２種類で管理される。具体的に、ユーザにのみ表示され、ユーザ以外の構成員に公開したくない人物は、「プライベート」で管理され、組織内で人脈情報を共有する人物は、「パブリック」で管理される。「繋がりの名称」は、各人物のユーザとの関係性が記載される。「繋がりの名称」には、例えば「パートナー企業」、「○○組合」、「友人関係」、及び「ゴルフコンペ」等と記載される。
【００２８】
図２に示す表示部１２は、例えば汎用の液晶表示装置（Liquid Crystal Display：ＬＣＤ）等から構成される。本実施形態において、表示部１２は、人脈管理システム１への利用登録を行うための利用登録画面、人脈管理システム１へログインするためのログイン画面、人脈相関図等を表示するメイン画面、ユーザに最適な人物を紹介する最適人物紹介画面、及び二人の人物（ユーザ自身も含む。）を繋げる最適な人脈等を検出する最適人脈検出画面等の各種画面を表示する。
【００２９】
図４（ａ）は、人脈相関図の表示例を示す図で、（ｂ）は、人物アイコンの詳細を例示する図である。
【００３０】
図４（ａ）に示すように、人脈相関図４０は、人脈管理システム１を利用しているユーザの人物情報を示す人物アイコンを中心に、そのユーザと繋がりのある人物の人物アイコン４１を、互いに重なり合わないように表示する（自動回避機能）。ここで、繋がり情報に含まれる「公開設定」が「プライベート」で管理されている人物の人物アイコン４１は、ユーザの人脈相関図４０にのみ表示され、他の構成員の人脈相関図４０には表示されない。これに対して、「公開設定」が「パブリック」で管理されている人物の人物アイコン４１は、ユーザのみならず、組織内の他の構成員の人脈相関図４０にも表示される。このため、人脈相関図４０には、ユーザと繋がりのある人物の人物アイコン４１のみならず、ユーザと直接繋がっていなくても、組織内で人脈情報が共有されている人物の人物アイコン４１も表示される。すなわち、人脈相関図４０は、ユーザを中心として、ユーザ自身の人脈と、組織内で共有される人脈と、を表す。
【００３１】
また、繋がりのある人物同士の人物アイコン４１は、線分で接続されている。本実施形態において、繋がりのある人物同時の人物アイコン４１は、繋がり情報に含まれる「公開設定」及び／又は「繋がりの名称」に応じて異なる色の線分で接続されている。例えば「公開設定」が「プライベート」で管理されている人物同士の人物アイコン４１は、「赤色」の線分で接続され、「パブリック」で管理されている人物同士の人物アイコン４１は、「青色」の線分で接続される。図４（ａ）に示す例では、「プライベート」で管理されている人物同士の人物アイコン４１を接続する「赤色」の線分は、破線で示され、「パブリック」で管理されている人物同士の人物アイコン４１を接続する「青色」の線分は、実線で示されている。また、人物同士の繋がりの強さは、人物アイコン４１を接続する線分の太さで表現される。具体的に、人物アイコン４１は、人物同士の繋がりが強い場合、太い線分で接続され、弱い場合、細い線分で接続される。
【００３２】
図４（ｂ）に示すように、人物アイコン４１には、顔写真、並びに人物情報に含まれる「名前」、「所属」、「役職」、及び「ＵＲＬ」等が表示される。また、人物アイコン４１には、人脈情報編集アイコン４２が表示され、人脈情報編集アイコン４２がクリックされると、表示部１２には、人脈情報の追加・編集・削除等を行うための人脈情報編集画面が表示される。
【００３３】
図５は、最適人物紹介画面の表示例を示す図である。
【００３４】
図５に示すように、最適人物紹介画面５０には、ユーザに最適な人物の人物アイコン５１、その人物との相性を示す評価値（図５に示す例では「おすすめ人材度」）５２、並びにその人物をユーザに最適な人物として紹介した判定基準５３、並びにユーザと最適な人物とを繋げる人脈の検索を指示するための人脈検索アイコン５４等が示される。
【００３５】
図６は、最適人脈検出画面の表示例を示す図である。
【００３６】
図６に示すように、最適人脈検出画面６０には、繋げたい二人の人物（ユーザ自身も含む。）の人物アイコン６１及び６２、並びにその二人を繋げる最適な人脈上の人物の人物アイコン６３−ｍ（ｍは自然数）が、他の人物アイコンよりも目立つように表示される。また、人物アイコン６１、６２、及び６３−ｍをそれぞれ接続する線分も、他の人物アイコンを接続する線分よりも太く表示される。なお、人物アイコンを接続する線分は、人脈相関図４０と同様、繋がり情報に含まれる「公開設定」及び／又は「繋がりの名称」に応じた色で表示される。
【００３７】
図２に示す操作部１３は、例えば汎用のキーボードやマウス等から構成され、ユーザによって操作される。本実施形態において、ユーザは、操作部１３を操作して、所定のテンプレートに自己の人脈情報を記入し、人脈情報登録ファイル３０を作成する。
【００３８】
また、利用登録画面において、ユーザは、操作部１３を操作して、ユーザＩＤ（Identification）、パスワード、及び自分の人物情報等を入力した後、人脈管理システム１への利用登録を指示する。さらに、ログイン画面において、ユーザは、操作部１３を操作して、ユーザＩＤ及びパスワード等を入力した後、人脈管理システム１へのログインを指示する。また、メイン画面において、ユーザは、記憶部１１から人脈情報登録ファイル３０を指定して、人脈情報登録ファイル３０に記憶されている人脈情報の一括登録を指示する。
【００３９】
メイン画面に表示される人物相関図４０において、ユーザが操作部１３を操作して、人物アイコン４１に表示される「ＵＲＬ」をクリックすると、ＵＲＬから特定される外部サイトへと遷移する。また、人脈情報編集画面において、ユーザは、操作部１３を操作して、人脈情報の追加・編集・削除等を行う。具体的に、人脈情報編集画面において、ユーザは、操作部１３を操作して、新たな人物の人脈情報を追加したり、「名前」、「所属」、「役職」、「メモ」、及び「ＵＲＬ」等の人物情報の登録・編集を行ったり、所定の削除ボタンをクリックして、繋がりが途切れた人物の人脈情報を削除したりする。また、人脈情報編集画面において、ユーザは、操作部１３を操作して、繋がり情報を「プライベート」及び「パブリック」のいずれかに切り替えて、人脈情報の公開範囲を切り替えることができる。
【００４０】
さらに、人脈相関図４０において、ユーザは、操作部１３を操作して、所望の人物の人物アイコン４１にカーソルを合わせて、その人物の人物アイコン４１を中心に接続されている人物の人物アイコン４１までをハイライト表示させることができる。また、人脈相関図４０において、ユーザは、操作部１３を操作して、中央表示する人物の人物アイコン４１を切り替えることもできる。さらに、人脈相関図４０において、ユーザは、操作部１３を操作して、自動回避機能の有効・無効を切り替えることができる。また、人脈相関図４０において、ユーザは、操作部１３を操作して、人物アイコン４１同士を接続する線分の表示のＯＮ／ＯＦＦを切り替えることができる。
【００４１】
さらに、メイン画面において、ユーザは、操作部１３を操作して、例えばユーザと「趣味嗜好」や「業種」等が合致する、ユーザに最適な人物の紹介を指示する。また、メイン画面において、ユーザは、操作部１３を操作して、繋げたい二人の人物（ユーザ自身も含む。）の人物アイコン４１を指定した後、最適な人脈の検出を指示する。さらに、最適人物紹介画面５０において、ユーザは、操作部１３を操作して、人脈検索アイコン５４をクリックする。
【００４２】
通信部１４は、例えばＮＩＣ（Network Interface Card）等の汎用の通信装置を含んで構成される。本実施形態において、通信部１４は、人脈管理システム１への利用登録を要求する利用登録要求、人脈管理システム１へのログインを要求するログイン要求、人脈情報の一括登録を要求する一括登録要求、及び人脈情報の追加・編集・削除等を要求する人脈情報編集要求、最適な人物の紹介を要求する最適人物紹介要求、及び最適な人脈の検出を要求する最適人脈検出要求等をネットワークＮを介してサーバ装置２０に送信する。また、通信部１４は、サーバ装置２０からネットワークＮを介して送信される、メイン画面を表示するためのメイン画面表示データ、最適人物紹介画面５０を表示するための最適人物紹介画面表示データ、及び最適人脈検出画面６０を表示するための最適人脈検出画面表示データ等を受信する。
【００４３】
制御部１５は、例えばＣＰＵ（Central Processing Unit）、ＲＯＭ（Read Only Memory）、及びＲＡＭ（Random Access Memory）等から構成されている。ＣＰＵは、ＲＡＭをワークメモリとして用いて、ＲＯＭに記憶されている各種プログラムや記憶部１１に記憶されている各種ソフトウェア等を適宜実行することにより、端末装置１０−ｎの各部の動作を制御する。
【００４４】
本実施形態において、制御部１５は、ユーザによる操作部１３の操作に応じて、記憶部１１に記憶されている人脈管理プログラムを起動し、人脈管理システム１の利用登録が未だ行われていない場合には、まず、利用登録画面を表示部１２に表示する。そして、制御部１５は、ユーザが利用登録画面でユーザＩＤ、パスワード、及び自分の人物情報等を入力した後、人脈管理システム１への利用登録を指示したことに応答して、ユーザＩＤ、パスワード、及び人物情報等を特定可能な利用登録要求を、通信部１４からネットワークＮを介してサーバ装置２０に送信する。
【００４５】
これに対して、人脈管理システム１の利用登録が既に行われている場合には、まず、ログイン画面を表示部１２に表示する。そして、制御部１５は、ユーザがログイン画面でユーザＩＤ及びパスワード等を入力した後、人脈管理システム１へのログインを指示したことに応答して、ユーザＩＤ及びパスワード等を特定可能なログイン要求を、通信部１４からネットワークＮを介してサーバ装置２０に送信する。
【００４６】
制御部１５は、ユーザがメイン画面で記憶部１１から人脈情報登録ファイル３０を指定して、人脈情報登録ファイル３０に記憶されている人脈情報の一括登録を指示したことに応答して、ユーザＩＤ及び人脈情報登録ファイル３０等を特定可能な一括登録要求を通信部１４からネットワークＮを介してサーバ装置２０に送信する。
【００４７】
制御部１５は、サーバ装置２０からネットワークＮを介して送信されるメイン画面表示データを通信部１４で受信したことに応答して、メイン画面表示データに基づくメイン画面を表示部１２に表示する。ユーザの人脈情報が既に登録されている場合、メイン画面には、人脈相関図４０が表示される。
【００４８】
制御部１５は、ユーザが人脈情報編集画面で人脈情報の追加・編集・削除等を行ったことに応答して、ユーザＩＤ及び追加・編集・削除後の人脈情報を特定可能な人脈情報編集要求を、通信部１４からネットワークＮを介してサーバ装置２０に送信する。
【００４９】
制御部１５は、ユーザが操作部１３を操作して、ユーザに最適な人物の紹介を指示したことに応答して、ユーザＩＤを特定可能な最適人物紹介要求を通信部１４からネットワークＮを介してサーバ装置２０に送信する。そして、制御部１５は、サーバ装置２０からネットワークＮを介して送信される最適人物紹介画面表示データを通信部１４で受信したことに応答して、最適人物紹介画面表示データに基づく最適人物紹介画面５０を表示部１２に表示する。
【００５０】
制御部１５は、ユーザが操作部１３を操作して、繋げたい二人の人物の人物アイコン４１を指定した後、最適な人脈の検出を指示したことに応答して、ユーザが指定した二人の人物を特定可能な最適人脈検出要求を通信部１４からネットワークＮを介してサーバ装置２０に送信する。また、制御部１５は、ユーザが最適人物紹介画面５０で人脈検索アイコン５４をクリックしたことに応答して、ユーザと最適な人物とを特定可能な最適人脈検出要求を通信部１４からネットワークＮを介してサーバ装置２０に送信する。そして、制御部１５は、サーバ装置２０からネットワークＮを介して送信される最適人脈検出画面表示データを通信部１４で受信したことに応答して、最適人脈検出画面表示データに基づく最適人脈検出画面６０を表示部１２に表示する。
【００５１】
図１に示すサーバ装置２０は、例えば汎用のサーバコンピュータ等から構成され、各種情報を管理する。
【００５２】
図７は、サーバ装置の構成例を示すブロック図である。
【００５３】
図７に示すように、サーバ装置２０は、通信部２１と、記憶部２２と、制御部２３と、を備え、こららはバス等を介して接続されている。
【００５４】
通信部２１は、例えばＮＩＣ等の汎用の通信装置を含んで構成される。本実施形態において、通信部２１は、端末装置１０−ｎからネットワークＮを介して送信される利用登録要求、ログイン要求、一括登録要求、人脈情報編集要求、最適人物紹介要求、及び最適人脈検出要求等を受信する。また、通信部２１は、メイン画面表示データ、最適人物照会画面表示データ、及び最適人脈検出画面表示データ等をネットワークＮを介して端末装置１０−ｎを介して送信する。
【００５５】
記憶部２２は、例えばハードディスクドライブ等の汎用の記憶装置から構成される。本実施形態において、記憶部２２は、ユーザＤＢ（DateBase）２２１と、人脈情報ＤＢ２２２と、を含んでいる。
【００５６】
ユーザＤＢ２２１は、ユーザ毎に、ユーザＩＤ、パスワード、及びそのユーザの人物情報等を対応付けて登録する。人脈情報ＤＢ２２２は、ユーザ毎に、ユーザＩＤ、及びそのユーザの人脈情報等を対応付けて登録する。ここで、人脈情報ＤＢ２２２に登録される人脈情報には、「公開設定」が含まれる。かかる「公開設定」によって、人脈情報ＤＢ２２２は、構成員以外に公開しない人脈と、組織内で共有される人脈と、を区別して登録する。
【００５７】
制御部２３は、例えばＣＰＵ、ＲＯＭ、及びＲＡＭ等から構成されている。ＣＰＵは、ＲＡＭをワークメモリとして用いて、ＲＯＭに記憶されている各種プログラムや記憶部２２に記憶されている各種ソフトウェア等を適宜実行することにより、サーバ装置２０の各部の動作を制御する。
【００５８】
本実施形態において、制御部２３は、端末装置１０−ｎからネットワークＮを介して送信される利用登録要求を通信部２１で受信したことに応答して、利用登録要求から特定されるユーザＩＤ、パスワード、及び人物情報等を対応付けてユーザＤＢ２２１に登録する。
【００５９】
制御部２３は、端末装置１０−ｎからネットワークＮを介して送信されるログイン要求を通信部２１で受信したことに応答して、ログイン要求から特定されるユーザＩＤ及びパスワードがユーザＤＢ２２１に対応付けて登録されているかを否かの認証を行う。制御部２３は、認証に成功した場合、ログイン要求から特定されるユーザＩＤに対応する人脈情報を人脈情報ＤＢ２２２から検出する。ユーザＩＤに対応する人脈情報を人脈情報ＤＢ２２２から検出できなかった場合、制御部２３は、人脈相関図４０を含まないメイン画面を表示するためのメイン画面表示データを生成する。これに対して、ユーザＩＤに対応する人脈情報を人脈情報ＤＢ２２２から検出できた場合、制御部２３は、人脈情報ＤＢ２２２から検出した人脈情報と、組織内で共有されている人脈情報と、から人脈相関図４０を作成する。続いて、制御部２３は、人脈相関図４０を含むメイン画面を表示するためのメイン画面表示データを生成する。そして、制御部２３は、メイン画面表示データを通信部２１からネットワークＮを介して端末装置１０−ｎを送信する。
【００６０】
制御部２３は、端末装置１０−ｎからネットワークＮを介して送信される一括登録要求を通信部２１で受信したことに応答して、一括登録要求から特定される人脈情報登録ファイル３０に記憶されている人脈情報を、一括登録要求から特定されるユーザＩＤに対応付けて人脈情報ＤＢ２２２に一括登録する。続いて、制御部２３は、一括登録した人脈情報と、組織内で共有されている人脈情報と、から人脈相関図４０を作成する。そして、制御部２３は、人脈情報の一括登録に基づいて作成した人脈相関図４０を含むメイン画面を表示するためのメイン画面表示データを生成して、通信部２１からネットワークＮを介して端末装置１０−ｎを送信する。
【００６１】
制御部２３は、端末装置１０−ｎからネットワークＮを介して送信される人脈情報編集要求を通信部２１で受信したことに応答して、人脈情報編集要求から特定されるユーザＩＤに対応する人脈情報を人脈情報ＤＢ２２２から特定する。そして、制御部２３は、人脈情報編集要求から特定される追加・編集・削除後の人脈情報に基づいて、人脈情報ＤＢ２２２から特定した人脈情報を更新する。続いて、制御部２３は、更新後の人脈情報と、組織内で共有されている人脈情報と、から人脈相関図４０を作成する。そして、制御部２３は、人脈情報の更新に基づいて作成した人脈相関図４０を含むメイン画面を表示するためのメイン画面表示データを生成して、通信部２１からネットワークＮを介して端末装置１０−ｎを送信する。
【００６２】
制御部２３は、端末装置１０−ｎからネットワークＮを介して送信される最適人物紹介要求を通信部２１で受信したことに応答して、最適人物紹介要求から特定されるユーザＩＤに対応するユーザの人物情報をユーザＤＢ２２１から読み出す。続いて、制御部２３は、ユーザＤＢ２２１から読み出したユーザの人物情報に基づいて、ユーザとは直接繋がっていないが、組織内で人脈情報が共有されている人物の中から、所定の基準に従って、ユーザと「趣味嗜好」や「業種」等が合致する最適な人物を検出する。具体的に、制御部２３は、人脈情報ＤＢ２２２から、ユーザとは直接繋がっていないが、組織内で人脈情報が共有されている人物の人物情報を読み出す。続いて、制御部２３は、例えばＡＩ（Artificial Intelligence）等を用いて、ユーザＤＢ２２１から読み出したユーザの人物情報と、人脈情報ＤＢ２２２から読み出した各人物の人物情報と、のマッチングを行って、ユーザと各人物との相性をそれぞれ評価して数値化する。そして、制御部２３は、人脈情報ＤＢ２２２から読み出した人物の中で、相性を示す評価値が最高の人物を、ユーザに最適な人物として検出する。そして、制御部２３は、ユーザに最適な人物として検出した人物の人物アイコン５１、その人物との相性を示す評価値５２、及びその人物をユーザに最適な人物として紹介した判定基準５３等を表す最適人物紹介画面５０を表示するための最適人物紹介画面表示データを生成して、通信部２１からネットワークＮを介して端末装置１０−ｎを送信する。
【００６３】
制御部２３は、端末装置１０−ｎからネットワークＮを介して送信される最適人脈検出要求を通信部２１で受信したことに応答して、人脈相関図４０において、最適人脈検出要求から特定される二人の人物（ユーザ及び最適な人物も含む。）を繋げる複数の人脈の中から、所定の基準に従って、最適な人脈を検出する。具体的に、制御部２３は、二人の人物を繋げる人脈上の人数が最小となるものを、最適な人脈の候補として抽出する。続いて、制御部２３は、最適な人脈の候補の中で、人物アイコン４１を接続する線分が最も太いもの、即ち人物同士の繋がりが最も強いものを、最適な人脈として検出する。そして、制御部２３は、繋げたい二人の人物の人物アイコン６１及び６２、並びにその二人を繋げる最適な人脈上の人物の人物アイコン６３−ｍ（ｍは自然数）を、他の人物アイコンよりも目立つように表示する最適人脈検出画面６０を表示するための最適人脈検出画面表示データを生成して、通信部２１からネットワークＮを介して端末装置１０−ｎを送信する。
【００６４】
次に、上記構成を備える人脈管理システムの動作について、図面を参照して説明する。
【００６５】
端末装置１０−ｎにおいて、ユーザは、人脈管理システム１へのログイン後、表示部１２に表示されるメイン画面で、操作部１３を操作して、記憶部１１から人脈情報登録ファイル３０を指定する。そして、ユーザが人脈情報登録ファイル３０に記憶されている人脈情報の一括登録を指示したことに応答して、制御部１５は、一括登録処理を開始する。
【００６６】
図８は、一括登録処理の一例を示すフローチャートである。
【００６７】
図８に示す一括登録処理において、制御部１５は、まず、ユーザＩＤ及び人脈情報登録ファイル３０等を特定可能な一括登録要求を通信部１４からネットワークＮを介してサーバ装置２０に送信する（ステップＳ８１）。
【００６８】
サーバ装置２０において、制御部２３は、端末装置１０−ｎからネットワークＮを介して送信される一括登録要求を通信部２１で受信したことに応答して（ステップＳ８２）、一括登録要求から特定される人脈情報登録ファイル３０に記憶されている人脈情報を、一括登録要求から特定されるユーザＩＤに対応付けて人脈情報ＤＢ２２２に一括登録する（ステップＳ８３）。
【００６９】
続いて、制御部２３は、ステップＳ８３で一括登録した人脈情報と、組織内で共有されている人脈情報と、から人脈相関図４０を作成する（ステップＳ８４）。
【００７０】
そして、制御部２３は、人脈情報の一括登録に基づいて作成した人脈相関図４０を含むメイン画面を表示するためのメイン画面表示データを生成して（ステップＳ８５）、通信部２１からネットワークＮを介して端末装置１０−ｎを送信する（ステップＳ８６）。
【００７１】
端末装置１０−ｎにおいて、制御部１５は、サーバ装置２０からネットワークＮを介して送信されるメイン画面表示データを通信部１４で受信したことに応答して（ステップＳ８７）、メイン画面表示データに基づいて、人脈情報の一括登録に基づいて作成した人脈相関図４０を含むメイン画面を表示部１２に表示してから（ステップＳ８８）、一括登録処理を終了する。
【００７２】
また、端末装置１０−ｎにおいて、ユーザがメイン画面で、操作部１３を操作して、ユーザに最適な人物の紹介を指示したことに応答して、制御部１５は、最適人物紹介処理を開始する。
【００７３】
図９は、最適人物紹介処理の一例を示すフローチャートである。
【００７４】
図９に示す最適人物紹介処理において、制御部１５は、まず、ユーザＩＤを特定可能な最適人物紹介要求を通信部１４からネットワークＮを介してサーバ装置２０に送信する（ステップＳ９１）。
【００７５】
サーバ装置２０において、制御部２３は、端末装置１０−ｎからネットワークＮを介して送信される最適人物紹介要求を通信部２１で受信したことに応答して（ステップＳ９２）、最適人物紹介要求から特定されるユーザＩＤに対応するユーザの人物情報をユーザＤＢ２２１から読み出す（ステップＳ９３）。
【００７６】
続いて、制御部２３は、ユーザＤＢ２２１から読み出したユーザの人物情報に基づいて、人脈情報ＤＢ２２２に登録されている人物の中から、所定の基準に従って、ユーザと「趣味嗜好」や「業種」等が合致する最適な人物を検出する（ステップＳ９４）。
【００７７】
そして、制御部２３は、ステップＳ９４で検出した人物の人物アイコン５１、その人物との相性を示す評価値５２、及びその人物をユーザに最適な人物として紹介した判定基準５３等を表す最適人物紹介画面５０を表示するための最適人物紹介画面表示データを生成して（ステップＳ９５）、通信部２１からネットワークＮを介して端末装置１０−ｎを送信する（ステップＳ９６）。
【００７８】
端末装置１０−ｎにおいて、制御部１５は、サーバ装置２０からネットワークＮを介して送信される最適人物紹介画面表示データを通信部１４で受信したことに応答して（ステップＳ９７）、最適人物紹介画面表示データに基づく最適人物紹介画面５０を表示部１２に表示して、ユーザに最適な人物を紹介してから（ステップＳ９８）、最適人物紹介処理を終了する。
【００７９】
さらに、端末装置１０−ｎにおいて、ユーザは、メイン画面で、操作部１３を操作して、人脈を繋げたい二人の人物の人物アイコン４１を指定する。そして、ユーザが最適な人脈の検出を指示したことに応答して、制御部１５は、最適人脈検出処理を開始する。或いは、ユーザが最適人物紹介画面５０で人脈検索アイコン５４をクリックしたことに応答して、制御部１５は、最適人脈検出処理を開始する。
【００８０】
図１０は、最適人脈検出処理の一例を示すフローチャートである。
【００８１】
図１０に示す最適人脈検出処理において、制御部１５は、まず、ユーザが指定した二人の人物（或いは、ユーザ及び最適な人物）を特定可能な最適人脈検出要求を通信部１４からネットワークＮを介してサーバ装置２０に送信する（ステップＳ１０１）。
【００８２】
サーバ装置２０において、制御部２３は、端末装置１０−ｎからネットワークＮを介して送信される最適人脈検出要求を通信部２１で受信したことに応答して（ステップＳ１０２）、人脈相関図４０において、最適人脈検出要求から特定される二人の人物（ユーザ及び最適な人物も含む。）を繋げる複数の人脈の中から、所定の基準に従って、最適な人脈を検出する（ステップＳ１０３）。
【００８３】
そして、制御部２３は、繋げたい二人の人物の人物アイコン６１及び６２、並びにステップＳ１０３で検出した最適な人脈上の人物の人物アイコン６３−ｍを、他の人物アイコンよりも目立つように表示する最適人脈検出画面６０を表示するための最適人脈検出画面表示データを生成して（ステップＳ１０４）、通信部２１からネットワークＮを介して端末装置１０−ｎを送信する（ステップＳ１０５）。
【００８４】
端末装置１０−ｎにおいて、制御部１５は、サーバ装置２０からネットワークＮを介して送信される最適人脈検出画面表示データを通信部１４で受信したことに応答して（ステップＳ１０６）、最適人脈検出画面表示データに基づく最適人脈検出画面６０を表示部１２に表示して、ユーザに人脈を繋げたい二人の人物の最適な人脈を通知してから（ステップＳ１０７）、最適人脈検出処理を終了する。
【００８５】
以上説明したように、本実施形態に係る人脈管理システム１は、端末装置１０−ｎと、端末装置１０−ｎとネットワークＮを介して接続されたサーバ装置（人脈管理装置）２０と、を具備する。サーバ装置２０は、組織内の構成員毎に、構成員の人脈に関する情報（人脈情報）を、構成員以外に公開しない人脈と、組織内で共有される人脈と、を区別して登録する人脈情報ＤＢ２２２を備える。
【００８６】
サーバ装置２０は、人脈情報ＤＢ２２２に登録されている人脈情報に基づいて、着目する構成員（例えばユーザ等）を中心として、ユーザ自身の人脈と、組織内で共有される人脈と、を表す人脈相関図４０を作成する。そして、サーバ装置２０は、作成した人脈相関図４０（詳しくは、人脈相関図４０を含むメイン画面を表示するためのメイン画面表示データ）をネットワークＮを介して端末装置１０−ｎに送信する。端末装置１０−ｎは、サーバ装置２０からネットワークＮを介して送信される人脈相関図４０（詳しくは、人脈相関図４０を含むメイン画面を表示するためのメイン画面表示データ）を受信したことに応答して、ユーザを中心として、ユーザ自身の人脈と、組織内で共有される人脈と、を表す人脈相関図４０を表示する。
【００８７】
このように、本実施形態に係る人脈管理システム１によれば、組織内で人脈を共有することで、例えば会社の役員や上司の人脈を活用して客先にコンタクトしたり、ＯＢ（Old Boy）の人脈を有効に活用したりすることができる。また、組織内で共有される人脈のみならず、他の構成員に公開しない人脈も含めた人脈相関図４０を作成することができる。そして、人脈相関図４０を作成することで、例えばビジネス交流会や団体内の人脈を可視化することができる。この結果、人脈管理システム１は、プライバシーを保護しつつ人脈を共有できる。
【００８８】
また、サーバ装置２０は、端末装置１０−ｎからネットワークＮを介して送信される人脈情報の一括登録要求を受信したことに応答して、一括登録要求から特定されるユーザ（ユーザＩＤ）と人脈情報とを対応付けて人脈情報ＤＢ２２２に一括登録する。そして、サーバ装置２０は、人脈情報を一括登録したユーザを中心として、一括登録したユーザ自身の人脈と、組織内で共有される人脈と、を表す人脈相関図４０を作成する。このように、人脈情報の一括登録を可能とすることで、人脈相関図４０の作成を簡便にすることができる。
【００８９】
さらに、サーバ装置２０は、組織内の構成員（ユーザ）毎に、構成員に関する情報（ユーザの人物情報）を登録するユーザＤＢ２２１を備える。サーバ装置２０は、端末装置１０−ｎからネットワークＮを介して送信される最適人物紹介要求を受信したことに応答して、最適人物紹介要求から特定されるユーザの人物情報を、ユーザＤＢ２２１から読み出す。続いて、サーバ装置２０は、ユーザの人物情報に基づいて、人脈情報ＤＢ２２２に人脈情報が登録されている人物の中から、所定の基準に従って、ユーザに最適な人物を検出する。そして、サーバ装置２０は、ユーザに最適な人物を表示するための最適人物紹介画面表示データをネットワークＮを介して端末装置１０−ｎに送信することで、ユーザに最適な人物を紹介する。これにより、ユーザは、自分に最適な人物を容易に検出することができる。
【００９０】
また、端末装置１０−ｎは、二人の人物を繋げる最適な人脈の検出を指示したことに応答して、二人の人物を特定可能な最適人脈検出要求をネットワークＮを介してサーバ装置２０に送信する。サーバ装置２０は、端末装置１０−ｎからネットワークＮを介して送信される最適人脈検出要求を受信したことに応答して、最適人脈検出要求から特定される二人の人物を繋げる複数の人脈の中から、所定の基準に従って、最適な人脈を検出する。そして、サーバ装置２０は、最適な人脈を表示するための表示データ（最適人脈検出画面表示データ）をネットワークＮを介して端末装置１０−ｎに送信することで、二人の人物を繋げる最適な人脈をユーザに通知する。これにより、ユーザは、繋がりのない人物に接触する際に、どの人脈を辿ればよいか、すなわち、どの人物に紹介してもらえばよいか容易に知ることができるため、繋がりのない人物への接触をスムースに行うことができる。
【００９１】
人脈相関図４０は、人物を示す人物アイコン４１と、人物アイコン４１同士を接続する線分と、で表される。端末装置１０−ｎは、人物アイコン４１同士を接続する線分を、人物アイコン４１が示す人物同士の繋がりの強さに応じて異なる態様（太さ）で表示する。これにより、人物同士の繋がりの強さを容易に視認することができる。
【００９２】
なお、本発明は、上記の実施形態に限定されず、種々の変形、応用が可能である。以下、本発明に適用可能な上記の実施形態の変形態様について、説明する。
【００９３】
上記の実施形態において、制御部１５及び２３のＣＰＵが実行するプログラムは、予めＲＯＭ等に記憶されていた。しかしながら、本発明は、これに限定されず、上述の処理を実行させるためのプログラムを、既存の汎用コンピュータに適用することで、上記の実施形態に係る端末装置１０−ｎ及びサーバ装置２０として機能させてもよい。
【００９４】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【００９５】
また、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【符号の説明】
【００９６】
１      人脈管理システム
１０−ｎ  端末装置
１１      記憶部
１２      表示部
１３      操作部
１４      通信部
１５      制御部
２０      サーバ装置
２１      通信部
２２      記憶部
２３      制御部
３０      人脈情報登録ファイル
４０      人脈相関図
４１      人物アイコン
４２      人脈情報編集アイコン
５０      最適人物紹介画面
５１      人物アイコン
５２      評価値
５３      判定基準
５４      人脈検索アイコン
６０      最適人脈検出画面
６１      人物アイコン
６２      人物アイコン
６３−ｍ  人物アイコン
２２１      ユーザＤＢ
２２２      人脈情報ＤＢ
【図１】
2019139600.tif 000003
【図２】
2019139600.tif 000004
【図３】
2019139600.tif 000005
【図４】
2019139600.tif 000006
【図５】
2019139600.tif 000007
【図６】
2019139600.tif 000008
【図７】
2019139600.tif 000009
【図８】
2019139600.tif 000010
【図９】
2019139600.tif 000011
【図１０】
2019139600.tif 000012